(57)【要約】      （修正有）【課題】加熱時に蒸気を容器外に逃がすことが可能であると共に、簡単には弁が開かず、虫などの異物の混入を可及的に抑制可能であり、しかも蒸気による調理のための圧力を適度に加えることで美味しい食品提供するが可能であると共にレンジによる加熱時間の短縮を図ることが可能な、包装用容器の蓋を提供する。【解決手段】蓋１の天面２に切込み１２を設けることで形成した弁体１０に、天面２から上部に突出するリブとしての凸条１１を設けてある。この凸条１１の形状は、二本の直線部１１ａ、１１ａの両端を円弧状に連結してある。むろんリブとしての凸条１１の形状はかかる形態に限定を受けるものではなく、例えば多角形状、その他任意の形態を採用できる。【選択図】図４
0003220460.tif 000002
【実用新案登録請求の範囲】
【請求項１】
容器本体内部に食品を収容した状態で電子レンジで加熱することが予定された包装用容器本体に被せる蓋であって、蓋の天面に切込みを設けることで弁体を形成すると共に、該弁体の内部から外部に伸びるリブを設けた包装用容器の蓋。
【請求項２】
天面に曲面状の凸面部を設け、該凸面部に切込みを設けることで弁体を形成した請求項１に記載の包装用容器の蓋。
【請求項３】
天面に曲面状の凹面部を設け、該凹面部に切込みを設けることで弁体を形成した請求項１に記載の包装用容器の蓋。
【請求項４】
リブが弁体の内部から外部に伸びると共に、弁体のほぼ全面に存する請求項１乃至請求項３いずれかに記載の記載の包装用容器の蓋。
【請求項５】
リブが一本または複数本の直線状の凸条である請求項１乃至請求項３いずれかに記載の包装用容器の蓋。
【請求項６】
リブが一本または複数本の曲線状の凸条である請求項１乃至請求項３いずれかに記載の包装用容器の蓋。
【請求項７】
リブが一本または複数本の直線状の凹条である請求項１乃至請求項３いずれかに記載の包装用容器の蓋。
【請求項８】
リブが一本または複数本の曲線状の凹条である請求項１乃至請求項３いずれかに記載の包装用容器の蓋。
【請求項９】
天面に凹部を設け、該凹部の底面にリブ及び弁体を設けた請求項１乃至請求項８いずれかに記載の包装用容器の蓋。
【請求項１０】
天面に凹部を設け、該凹部の底面に突起部を設け、該突起部に切込みを設けて弁体を形成した請求項１、請求項４、請求項５、請求項６、請求項７、請求項８、請求項９いずれかに記載の包装用容器の蓋。
【請求項１１】
天面に凹部を設け、該凹部に溝部を設け、該溝部に切込みを設けて弁体を形成した請求項１、請求項４、請求項５、請求項６、請求項７、請求項８、請求項９いずれかに記載の包装用容器の蓋。 
【考案の詳細な説明】
【技術分野】
【０００１】
本考案は弁当や各種の調理済み食品等を収容する場合などに用いる食品包装用容器の蓋に関し、より詳しくは電子レンジで加熱した際に発生する蒸気を、外部に放出するための弁を備えると共に虫の混入を防ぐことが可能な包装用容器の蓋に関する。
【背景技術】
【０００２】
スーパーやコンビニエンスストアなどの小売店の店頭には、弁当や各種の調理済み食品が包装用容器に包装されて数多く陳列されている。
【０００３】
かかる包装用容器は、食品等を収容可能に構成された容器本体と、該容器本体の開口部に着脱自在に取り付けられた蓋体と、当該蓋体を、内容物を収容した容器本体の開口部に取り付けた状態で、容器本体と蓋体とを固定するフィルム包装材とを備えるものである。
【０００４】
上記のように食品等を収容したうえでフィルム包装された包装用容器は、フィルム包装されたそのままで電子レンジを用いて加熱されることが多い。
【０００５】
上記のような用途に用いられる包装用容器にあっては、容器本体内に収容した食品の液汁等が外部に漏れないように密閉性を確保すると共に、電子レンジで加熱した際に発生する水蒸気で容器が過度に膨張したり、破裂しないように水蒸気を容器外に放出させることが要求される。そこで蓋体に弁を設けたり、あるいは孔部を設けて水蒸気を外部に放出することが行われている。
【０００６】
特許文献１には、電子レンジで加熱したとき容器内部で発生する水蒸気の圧力によって部分的にコーナー部の嵌合を解除して、水蒸気を外部に放出させる包装用容器が開示されている。
【０００７】
特許文献２には、容器本体のフランジあるいは蓋体のフランジのいずれか少なくとも一方に、排気孔を形成した包装用容器が開示されている。
【０００８】
特許文献３には、包装用容器の蓋に切り込みを設けることで弁を形成し、蒸気を逃がす
ことが可能な包装用容器が開示されている。
【０００９】
特許文献４には、レーザー光線を照射することで蓋に排気孔を設けた包装用容器が開示されている。
【先行技術文献】
【特許文献】
【００１０】
【特許文献１】特開２００１−９７４３６号公報
【特許文献２】特開２００７−２７６８３５号公報
【特許文献３】登録実用新案公報第３１３８６０１号公報
【特許文献４】特開２０１７−８１５９９号公報
【考案の開示】
【考案が解決しようとする課題】
【００１１】
上記の通り、食品等を包装した容器は、蒸気を逃がす手段を設けることが望まれる。
【００１２】
そこで、上述のように容器の蓋に切込みを設けることで弁を形成することが行われているが、何らかの衝撃で弁が持ち上がったり、或いは押し込まれると隙間が生じ、虫などの異物が侵入する恐れがある。
【００１３】
また、弁が簡単に持ち上がると、電子レンジによる加熱時に、蒸気が過度に容器外に逃げてしまい、調理が不完全になる恐れがある。
【００１４】
そこで本考案は加熱時に蒸気を容器外に逃がすことが可能であると共に、簡単には弁が開かず、虫などの異物の混入を可及的に抑制可能であり、しかも蒸気による調理のための圧力を適度に加えることが可能な、包装用容器の蓋を提供することを目的とする。
【課題を解決するための手段】
【００１５】
上記課題を解決する本考案の構成は、以下の通りである。
【００１６】
（１）  請求項１に記載の考案は、容器本体内部に食品を収容した状態で電子レンジで加熱することが予定された包装用容器本体に被せる蓋において、蓋の天面に切込みを設けることで弁体を形成すると共に、該弁体の内部から外部に伸びるリブを設けて構成した。
【００１７】
（２）  請求項２に記載の考案は、請求項１記載の包装用容器の蓋において、天面に曲面状の凸面部を設け、該凸面部に切込みを設けることで弁体を形成した。
【００１８】
（３）  請求項３に記載の考案は、請求項１記載の包装用容器の蓋において、天面に曲面状の凹面部を設け、該凹面部に切込みを設けることで弁体を形成した。
【００１９】
（４）  請求項４に記載の考案は、請求項１乃至請求項３いずれかに記載の包装用容器の蓋において、リブを弁体の内部から外部に伸びると共に、弁体のほぼ全面に存する形状に構成した。
【００２０】
（５）  請求項５に記載の考案は、請求項１乃至請求項３いずれかに記載の包装用容器の蓋において、リブを一本または複数本の直線状の凸条で構成した。
【００２１】
（６）  請求項６に記載の考案は、請求項１乃至請求項３いずれかに記載の包装用容器の蓋において、リブを一本または複数本の曲線状の凸条で構成した。
【００２２】
（７）  請求項７に記載の考案は、請求項１乃至請求項３いずれかに記載の包装用容器の蓋において、リブを一本または複数本の直線状の凹条で構成した。
【００２３】
（８）  請求項８に記載の考案は、請求項１乃至請求項３いずれかに記載の包装用容器の蓋において、リブを一本または複数本の曲線状の凹条で構成した。
【００２４】
（９）  請求項９に記載の考案は、請求項１乃至請求項８いずれかに記載の包装用容器の蓋において、天面に凹部を設け、該凹部の底面にリブ及び弁体を設けて構成した。
【００２５】
（１０）  請求項１０に記載の考案は、請求項１、請求項４、請求項５、請求項６、請求項７、請求項８、請求項９いずれかに記載の包装用容器の蓋において、天面に凹部を設け、該凹部に突起部を設け、該突起部に切込みを設けて弁体を構成した。
【００２６】
（１１）  請求項１１に記載の考案は、請求項１、請求項４、請求項５、請求項６、請求項７、請求項８、請求項９いずれかに記載の包装用容器の蓋において、天面に凹部を設け、該凹部に溝部を設け、該溝部に切込みを設けて弁体を構成した。
【考案の効果】
【００２７】
上記のように構成される本考案が、如何に作用して課題を解決するかを図面を参照しながら概説する。
【００２８】
本考案に係る包装用容器の蓋は天面に弁体を設けると共に、弁体にはその内部から外部に伸びるリブを設けて構成してある。
【００２９】
例えば図５に示すよう、に蓋１の天面２に存する弁体２０にリブとして凸条２１が設けてある。そして凸条２１は、弁体２０の内部から外部に伸びる形態で設けられている。或いは、図１３に示すように蓋１の天面２に存する弁体６０に、リブとして凹条６１が設けてある。そして凹条６１は、弁体２０の内部から外部に伸びる形態で設けられている。
【００３０】
かかる凸条２１あるいは凹条６１の存在が、弁体２０或いは弁体６０が持ち上がること、或いは押し込まれることに対して、応力を増す効果を生むことになる。すなわち、凸条２１或いは凹条６１を設けていない場合に比べ、弁体２０或いは弁体６０が持ち上がりにくい、あるいは、落ち込みにくいことになる。
【００３１】
すなわち、密封されることにより虫などの異物の混入を可及的に抑制可能となるのである。また、内圧が加わり１気圧以上になることにより加熱時間の短縮が可能になる。更には蒸気による適度な内圧が加わるため、内容物に味がしみこみやすいという効果も生じるものである。
【００３２】
請求項９に記載の考案では、例えば図１６に示すように包装用容器の蓋１の天面２に凹部８３を設け、該凹部８３にリブ及び弁体を設けてある。凹部８３を設けることで容器を積み重ねたような場合でも、弁体には荷重がかからず、つまりは弁体が不意に空いてしまうことを可及的に抑制することが可能となるのである。
【００３３】
請求項１０に記載の考案では、図１８乃至図２０に示すように包装用容器の蓋１の天面２に突起部６３を設け、該突起部６３に切込み６２を設けることで弁体６０を形成してある。突起部６３を設けることで、より弁体６０の開閉に対する抵抗力が高まることで、異物の混入をより効率的に防ぐことが可能となると共に、調理時における容器本体内への加圧が、より効果的に行えることになる。
【００３４】
請求項１１に記載の考案では、図２１乃至図２３に示すように包装用容器の蓋１の天面２に溝部７３を設け、該溝部７３に切込み７２を設けることで弁体７０を形成してある。溝部７３を設けることで、より弁体７０の開閉に対する抵抗力が高まることで、異物の混入をより効率的に防ぐことが可能となると共に、調理時における容器本体内への加圧が、より効果的に行えることになる。
【図面の簡単な説明】
【００３５】
【図１】本考案の説明斜視図
【図２】Ｎ―Ｎ線における説明断面図
【図３】請求項５記載の考案の斜視図
【図４】Ａ  請求項１記載の考案の正面図              Ｂ  同、Ｃ−Ｃ線断面図
【図５】Ａ  請求項５記載の考案の正面図              Ｂ  同、Ｄ−Ｄ線断面図
【図６】Ａ  請求項５記載の考案の正面図              Ｂ  同、Ｅ−Ｅ線断面図
【図７】Ａ  請求項６記載の考案の正面図              Ｂ  同、Ｆ−Ｆ線断面図
【図８】Ａ  請求項９記載の考案の正面図              Ｂ  同、Ｇ−Ｇ線断面図
【図９】本考案の説明斜視図
【図１０】Ｏ−Ｏ線における説明断面図
【図１１】請求項７記載の考案の斜視図
【図１２】Ａ  請求項１記載の考案の正面図              Ｂ  同、Ｈ−Ｈ線断面図
【図１３】Ａ  請求項７記載の考案の正面図              Ｂ  同、Ｉ−Ｉ線断面図
【図１４】Ａ  請求項７記載の考案の正面図              Ｂ  同、Ｊ−Ｊ線断面図
【図１５】Ａ  請求項８記載の考案の正面図              Ｂ  同、Ｋ−Ｋ線断面図
【図１６】Ａ  請求項１１記載の考案の正面図              Ｂ  同、Ｍ−Ｍ線断面図
【図１７】本考案の実施状態を示す説明断面図
【図１８】請求項９記載の考案の正面図
【図１９】図１８におけるＮ−Ｎ線断面図
【図２０】図１８におけるＰ−Ｐ線断面図
【図２１】請求項１０記載の考案の正面図
【図２２】図２１におけるＱ−Ｑ線断面図
【図２３】図２１におけるＲ−Ｒ線断面図
【図２４】Ａ  請求項２記載の考案の正面図              Ｂ  同、Ｓ−Ｓ線断面図
【図２５】Ａ  請求項３記載の考案の正面図              Ｂ  同、Ｔ−Ｔ線断面図
【図２６】丸弁を設けた状態を示す本考案の正面図
【図２７】請求項４記載の考案の正面図
【考案を実施するための形態】
【００３６】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。また、図中Ｕは上方をＤは下方を意味するものである。
【００３７】
本考案にかかる包装用容器の蓋１は、図１や図２、図９や図１０に示すように容器本体３の開口部４に嵌め込まれて使用されるものである。容器本体３内には食品が収容され、蓋１が被せられた状態のまま、電子レンジのマイクロ波照射により加熱調理されるものである。また、図１７に示さるように、蓋１を容器本体３に嵌合した状態で、フィルム５でシュリンクパックして販売され、そのままの状態でレンジで加熱されることも多い。
【００３８】
図１７に示される容器本体３と蓋１の嵌合は、内嵌合と称される形態であり、蓋１の外周部１ａが容器本体３の開口部４に嵌り込む形態である。むろん、嵌合形態は図示の内嵌合の他に外嵌合とすることもできる。例えば、蓋の縁部が容器本体の開口部に対して外側から被さる形態である。
【００３９】
蓋１は上方から見た際に円形を呈するように図示されているが、その形状は容器本体３の開口部に応じて適宜であり、多角形や楕円形等の形状とすることも可能である。
【００４０】
蓋１は安価かつ簡便に量産して製造できる合成樹脂のシートから形成される。具体的には、ポリエチレン、ポリプロピレン、ポリスチレン、ポリエチレンテレフタレート（ＰＥＴ樹脂）等の熱可塑性樹脂シートを利用可能であり、真空、圧空、または真空圧空により金型に密着・加熱させることで成形されるものである。
【００４１】
本考案に係る弁体１０，２０，３０，４０，５０，６０，７０，１４０，１５０，６００，７００は、蓋１の天面２に設けられる。各弁体は舌片状に形成されているが、むろんかかる限定を受けるものではなく、例えば略コ字状等に形成しても構わない。また、図２６に示すような略円形の丸弁１６０でも構わない。
【００４２】
弁体１０，２０，３０，４０，５０，６０，７０，１４０，１５０，６００，７００の形成方法は、天面２或いは凹部８３、溝部７３、突起部６３等に切込みを設けることによる。切込みを設ける方法はトムソン刃による方法、レーザー光支援を照射する方法、その他樹脂製容器に切込みを設ける汎用の方法によれば足りる。
【００４３】
本考案においては、弁体に、該弁体の内部から外部に伸びるリブが設けてある。なお、「弁体の内部から外部に伸びる」とは、図４乃至図８、図１８や図２１等に示されるように弁体の両端を結ぶ仮想線Ｌをまたぐ位置に設けるという意味である。
【００４４】
請求項１記載の考案では、リブの形状は特に限定されない。例えば図４に示すようなものでも構わない。すなわち、蓋１の天面２に切込み１２を設けることで形成した弁体１０に、天面２から上部に突出するリブとしての凸条１１を設けてある。この凸条１１の形状は、二本の直線部１１ａ、１１ａの両端を円弧状に連結してある。むろんリブとしての凸条１１の形状はかかる形態に限定を受けるものではなく、例えば多角形状、その他任意の形態を採用できる。
【００４５】
更にはリブは上方に突起したものでも、或いは図１２や図１８乃至図２０に示されるように下方に陥没したものでも構わない。
【００４６】
図１２を用いて陥没したリブを詳述する。図１２に示すように、蓋１の天面２に切込み５０２を設けることで形成した弁体５００に、天面２から下部に突出する凹条５０１を設けてある。図中凹条５０１の形状は、二本の直線部５０１ａ、５０１ａの両端を円弧状に連結してある。むろん凹条５０１の形状はかかる形態に限定を受けるものではなく、例えば多角形状、その他任意の形態を採用できる。
【００４７】
請求項２に記載の考案では図２４に示すように、天面２に曲面状の凸面部１４３を設け、該凸面部１４３に切込み１４２を設けることで弁体１４０を形成してある。
【００４８】
請求項３に記載の考案では図２５に示すように、天面２に曲面状の凹面部１５３を設け、該凹面部１５３に切込み１５２を設けることで弁体１５０を形成してある。
【００４９】
請求項４記載の考案では、蓋１の天面２に切込みを設けることで弁体を形成すると共に、該弁体の内部から外部に伸び、且つ、弁体のほぼ全面に存するリブを設けてある。
【００５０】
すなわち、図１８におけるリブ６０１や図２１におけるリブ７０１、図２７におけるリブ８０１のように、弁体６００，７００，８００のほぼ全面にわたる形状にすると、弁体が開いてしまうことを、より効果的に抑制することが可能となる。なお図２７における８０２は切込みを示すものである。
【００５１】
請求項５記載の考案は、図３や図５に示すように、蓋１の天面２に切込み２２を設けることで形成した弁体２０に、天面２から上部に突出する直線状の凸条２１を設けてある。凸条２１の本数は1本に限定されるものではなく、図６に示すように二本でも構わないし、図示されないが３本以上設けても構わない。
【００５２】
請求項６記載の考案では、図７に示すように、蓋１の天面２に切込み３２を設けることで形成した弁体３０に、天面２から上部に突出する凸条３１を設けてある。凸条３１の形状は、図７においては舌片状の湾曲形状を呈するものを図示してある。むろん凸条３１の形状はかかるものに限定を受けるものではなく、任意の湾曲形状で構わない。また本数も一本でも複数本でも構わない。
【００５３】
請求項７記載の考案は、図１１や図１３に示すように、蓋１の天面２に切込み６２を設けることで形成した弁体６０に、天面２から下部に突出する直線状の凹条６１を設けてある。凹条６１の本数は１本に限定されるものではなく、図１４に示すように二本でも構わないし、図示されないが３本以上設けても構わない。
【００５４】
請求項８記載の考案では、図１５に示すように、蓋１の天面２に切込み７２を設けることで形成した弁体７０に、天面２から下部に突出する凹条７１を設けてある。凹条７１の形状は、図１５においては舌片状の湾曲形状を呈するもの図示してある。むろん凹条７１の形状はかかるものに限定を受けるものではなく、任意の湾曲形状で構わない。また本数も一本でも複数本でも構わない。
【００５５】
請求項９記載の考案では、図１６に示すように、蓋１の天面２に凹部８３を設け、該凹部８３の底面に切込み８２を設けることで弁体８０を形成してある。そして、該弁体８０にに、下部に突出するリブとしての凹条８１が設けてある。凹条８１の形状は、直線状でも曲線状でも、一本でも複数本でも構わない。
【００５６】
また、請求項９の考案におけるリブの形状としては、図８に示すように凸条でも構わない。すなわち図８に示すように、蓋１の天面２に凹部８３を設け、該凹部８３の底面に切込み４０２を設けることで弁体８０を形成してある。そして、該弁体８０に、上部に突出するリブとしての凸条４０１が設けてある。凸条４０１の形状は、直線状でも曲線状でも、一本でも複数本でも構わない。請求項１１におけるリブの形状は、その他任意の形状を採用できる。
【００５７】
請求項１０に記載の考案では、図１８乃至図２０に示すように、蓋１の天面２に凹部８３を設け、該凹部８３の底面に突起部６０３を設け、該突起部６０３に切込み６０２を設けて弁体６００を形成した。また、弁体６００にはリブ６０１が設けてある。リブ６０１の形状は、請求項１、請求項４、請求項５、請求項６、請求項７、請求項８いずれかに記載のリブの形状を採用できる。
【００５８】
請求項１１に記載の考案では、図２１乃至図２３に示すように、蓋１の天面２に凹部８３を設け、該凹部８３の底面に溝部７０３を設け、該溝部７０３に切込み７０２を設けて弁体７００を形成した。また、弁体７００にはリブ７０１が設けてある。リブ７０１の形状は、請求項１、請求項４、請求項５、請求項６、請求項７、請求項８いずれかに記載のリブの形状を採用できる。
【符号の説明】
【００５９】
１・・蓋
１ａ・・外周部
２・・天面
３・・容器本体
４・・開口部
１０・・弁体
１１・・凸条
２０・・弁体
２１・・凸条
３０・・弁体
３１・・凸条
４０・・弁体
４１・・凸条
４３・・凹部
５０・・弁体
５１・・凹条
８３・・凹部
１４０・・弁体
１４１・・リブ
１４２・・切込み
１４３・・凸面部
１５０・・弁体
１５１・・リブ
１５２・・切込み
１５３・・凹面部
１６０・・丸弁
６００・・弁体
６０１・・リブ
６０２・・切込み
６０３・・突起部
７００・・弁体
７０１・・リブ
７０２・・切込み
７０３・・溝部
【図１】
0003220460.tif 000003
【図２】
0003220460.tif 000004
【図３】
0003220460.tif 000005
【図４】
0003220460.tif 000006
【図５】
0003220460.tif 000007
【図６】
0003220460.tif 000008
【図７】
0003220460.tif 000009
【図８】
0003220460.tif 000010
【図９】
0003220460.tif 000011
【図１０】
0003220460.tif 000012
【図１１】
0003220460.tif 000013
【図１２】
0003220460.tif 000014
【図１３】
0003220460.tif 000015
【図１４】
0003220460.tif 000016
【図１５】
0003220460.tif 000017
【図１６】
0003220460.tif 000018
【図１７】
0003220460.tif 000019
【図１８】
0003220460.tif 000020
【図１９】
0003220460.tif 000021
【図２０】
0003220460.tif 000022
【図２１】
0003220460.tif 000023
【図２２】
0003220460.tif 000024
【図２３】
0003220460.tif 000025
【図２４】
0003220460.tif 000026
【図２５】
0003220460.tif 000027
【図２６】
0003220460.tif 000028
【図２７】
0003220460.tif 000029